(57)【特許請求の範囲】
【請求項１】
警戒監視区域が地図等によって図形化表示された表示板の背面に複数の光源を設けて、該警戒監視区域に設けられた検知手段の検知結果をその光源の点灯の状態にて表示する表示部を有する監視表示装置において、
前記表示板の背面にリード線の先端部にそれぞれ設けられた各光源を仮固着させ、同複数の光源を表示板とその後側に設けられた狭持板との間に狭持させ本固定してなることを特徴とする監視表示装置。
【請求項２】
前記光源を、その前側に配設された光透過性樹脂材料製の吸盤を介して仮固着させたことを特徴とする請求項１記載の監視表示装置。
【請求項３】
前記光源と狭持板との間に弾性部材を介在させたことを特徴とする請求項１又は２記載の監視表示装置。
【請求項４】
前記表示板を、図形化表示を有する表示シートと同表示シート前側の透明板にて形成し、その透明板の背面に突設された固定片に前記狭持板を前記弾性部材を介して光源を押圧するよう固定させたことを特徴とする請求項３記載の監視表示装置。
【発明の詳細な説明】
【０００１】
【発明の属する技術分野】
本発明は監視表示装置に関し、詳しくは警戒監視区域が地図等によって図形化表示された表示部を有する地図表示機能を備えた自動火災報知受信機等の監視表示装置に関するものである。
【０００２】
【従来の技術】
従来から、Ｐ型自火報受信機と呼ばれている、図２に示す如く、警戒監視区域が地図等によって図形化表示された表示部（３）を有する地図表示機能を備えた自動火災報知受信機のような監視表示装置（１）は、検知手段である警戒監視区域に設けられた火災感知器による火災感知結果を、表示部に設けた光源の点灯の状態にて表示するようにしている。上記光源は、多くの場合ＬＥＤ素子が使用されている。
【０００３】
上記ＬＥＤ素子は、リード線の先端部に固着されており、表示部の地図表示シートに接着剤等を用いて固着される。したがって、上記表示部の地図表示シートの所望の位置に接着させて、そのＬＥＤ素子の点灯の状態にて、使用者に警戒監視区域の火災の発生状態を直接的に知らせることができる。
【０００４】
【発明が解決しようとする課題】
しかしながら、上記従来の技術においては、監視表示装置が、例えば間仕切りユニットを用いてレイアウト変更の容易化を図った建物のフロアーに設置された場合において、その監視表示装置の光源のＬＥＤ素子を容易に位置変更し、警戒監視区域に対応させ難いという問題があった。
【０００５】
ところで、本出願人は、実開昭５９−１３４８８７として、光源の位置を容易に位置変更することが可能な、光源の表示灯ブロックを、多数本の支柱を縦横整列状態に立設した固定板に内接または外接固定させる地図式警報表示盤を提案している。しかし、この構成による場合、上記支柱の設置位置にて光源を設ける位置が決定される。したがって、細かい位置調節を行って警戒監視区域に対応させようとしたときにより多くの支柱を設ける必要があり、固定板の構成が複雑になるという問題があった。
【０００６】
本発明は、上記事由に鑑みてなしたもので、その目的とするところは、簡単な構成にて、警戒監視区域に対応させて細かい位置調節を容易に行って光源を配置させてレイアウト変更に対応可能な監視表示装置を提供することにある。
【０００７】
【課題を解決するための手段】
上記目的を達成するために、本発明の監視表示装置にあっては、警戒監視区域が地図等によって図形化表示された表示板の背面に複数の光源を設けて、該警戒監視区域に設けられた検知手段の検知結果をその光源の点灯の状態にて表示する表示部を有する監視表示装置において、前記表示板の背面にリード線の先端部にそれぞれ設けられた各光源を仮固着させ、同複数の光源を表示板とその後側に設けられた狭持板との間に狭持させ本固定してなることを特徴としている。
【０００８】
この構成にて、表示部を、リード線の先端部にそれぞれ設けられた各光源を表示板の背面の適宜位置に仮固着させた後、同複数の光源を表示板とその表示板の後側に設けられた狭持板との間に狭持させて本固定して形成できる。
【０００９】
そして、上記光源を、その前側に配設された光透過性樹脂材料製の吸盤を介して仮固着させることが好ましい。この場合、光源が、その前側に配設された光透過性樹脂材料製の吸盤を表示板の背面の適宜位置に仮固着された後、狭持板にて狭持され本固定される。
【００１０】
また、上記光源と狭持板との間に弾性部材を介在させるのが好ましい。この場合、光源を、表示板の背面の適宜位置に仮固着させた後に、弾性部材を介して狭持板にて押圧させ狭持させて本固定できる。
【００１１】
また、上記表示板を、図形化表示を有する表示シートと同表示シート前側の透明板にて形成し、その透明板の背面に突設された固定片に前記狭持板を前記弾性部材を介して光源を押圧するよう固定させるのが好ましい。この場合、光源が、図形化表示を有する表示シートと同表示シート前側の透明板にて形成された表示板の背面の適宜位置に仮固着された後に、透明板の背面に突設された固定片に固定される狭持板にて押圧されて本固定される。
【００１２】
【発明の実施の形態】
図１、図２は、本発明の請求項１乃至４全てに対応する一実施の形態を示し、図１は、本発明の一実施の形態の監視表示装置に係る表示部の概略構成を示す側面図、図２は、同監視表示装置を示す正面図である。
【００１３】
この実施形態の視表示装置１は、警戒監視区域が地図等によって図形化表示された表示板３１の背面に複数の光源５を設けて、該警戒監視区域に設けられた検知手段の検知結果をその光源５の点灯の状態にて表示する表示部３を有する監視表示装置１において、前記表示板３１の背面にリード線６の先端部にそれぞれ設けられた各光源５を仮固着させ、同複数の光源５を表示板３１とその後側に設けられた狭持板４との間に狭持させ本固定してなる。
【００１４】
詳しくは、この監視表示装置１は、例えばＰ型自火報受信機と呼ばれている自動火災報知受信機で、図２に示すように、地図等によって警戒監視区域を図形化表示する表示部３を有する地図表示機能を備えて構成されている。そして、上記警戒監視区域に設けられた検知手段である火災感知器による火災感知結果を、後述する表示部３に設けた光源５の点灯の状態にて表示する。この監視表示装置１は、その前面に開口扉を有する鋼板製の箱体２内部に、上記検知手段から出力される火災感知信号を受信処理する回路基板を有する信号処理装置（図示せず）が設けられて形成され、この信号処理装置によって、上記箱体２の前面部の開口扉に設けられている受信操作部９の操作スイッチを操作して、表示部３に設けられている光源５の点灯の状態や、上記信号処理装置に設けられているブザー等の報知手段の報知状態を操作することができるようになっている。なお、この監視表示装置１は、上記表示部３や報知手段と同様のものを具備する副受信機を接続して使用することもできるようになっている。
【００１５】
表示部３は、上記箱体２の開口扉に設けられている。この表示部３は、表示板３１と、狭持板４と、光源５と、この光源５の前側に設けられる光透過性樹脂材料製の吸盤７、後側に設けられる弾性部材８とを有している。この場合、表示板３１は、地図等がシルク印刷等にて図形化表示された表示シート３３と同表示シート３３前側のアクリル樹脂製の透明板にて形成されている。この透明板は、その背面の４隅にねじ部材にて形成された固定片３２が突設されており、後述する狭持板４をナット部材（図示せず）にて光源５を押圧するよう固定させる。表示シート３３は、塩化ビニル樹脂等の透明シートにて形成され、この場合、光源５の仮固着される複数箇所を透明状に残し、建物内部の各警戒監視区域がシルク印刷にて図形化表示されている。なお、この表示シート３３は、上質紙等の紙にパソコンによる印刷処理を行い、その紙の一部を切り欠いて光源５を設ける位置を形成することもできる。
【００１６】
狭持板４は、後述する光源５を表示板３１との間に狭持するもので、合成樹脂板、金属板等にて形成されている。この狭持板４は、所定の板厚をもった剛体で、上記固定片３２を貫通させる固定孔（図示せず）が４隅に穿設されており、後述する弾性部材８を介して光源５を押圧するよう固定片３２に固定される。
【００１７】
光源５は、赤色等の可視光ＬＥＤ素子にて形成されている。この光源５は前後が略平面状で、その中間位置に上記信号処理装置から延出されたリード線６が接続されており、表示板の背面の適宜位置に仮固着可能となるよう設けられている。
【００１８】
吸盤７は、軟質塩化ビニル樹脂等の可撓性をもった光透過性樹脂材料製で、その前面側に上記表示板３１の背面に吸着させ仮固着させる吸着面を有し、裏面側に光源５の前面側が嵌合固定されるようになっている。この場合、光源５は、この吸盤７にて表示板３１の背面の適宜位置に仮固着された後、狭持板４にて狭持され本固定される。したがって、簡単な構成にて光源５を仮固着させて再使用が図れ、また、誤って固着させても容易に修正可能で使い勝手が良い。
【００１９】
弾性部材８は、ウレタン樹脂、ゴム等の弾性を有する成形体で、背面側が平面状となっており、前面側に光源５の後面側が嵌合固定されて光源５と一体化されるようになっている。この場合、光源５が表示板３１の背面の適宜位置に仮固着された後に、狭持板４にて弾性部材８を介して押圧され狭持されて本固定されるので、表示板３１の図形化表示の位置に対して光源５を確実に固定することが可能となり、振動等の外力で位置ずれの生ずることが無い。なお、弾性部材８は、上記の成形体による構成以外に、狭持板４と略同一外形のシート状部材として形成することもできる。
【００２０】
上記の監視表示装置１においては、表示部３の組立は、まず、透明板である表示板３１に図形化表示を有する表示シート３３を密着させ、次いで、その表示シート３３の上記複数箇所の透明状の位置に、リード線６先端にそれぞれ設けられた各光源５を吸盤７にて吸着させ仮固着させる。そして、さらにこの各光源５を押圧するようその後面側の弾性部材８を介して、狭持板４を表示板３１の固定片３２にナット固定させて上記複数の光源５を本固定させる。
【００２１】
したがって、以上説明した監視表示装置１によると、表示部３を、リード線６の先端部にそれぞれ設けられた各光源５を表示板３１の背面の適宜位置に仮固着させた後、表示板３１とその後側に設けられた狭持板４との間に狭持させて本固定して形成できるので、簡単な構成にて、警戒監視区域に対応させて細かい位置調節を容易に行って光源５を配置しレイアウト変更に対応させて表示部３を形成することが出来る。
【００２２】
そして、表示部３を、リード線６の先端部にそれぞれ設けられた各光源５を表示板３１の背面の適宜位置に仮固着させて後、表示板３１とその後側に設けられた狭持板４との間に狭持させて本固定して形成できるので、簡単な構成にて光源５を仮固着させて再使用が図れ、また、誤って固着させても容易に修正可能で使い勝手が良い。また、光源５を、表示板３１の背面の適宜位置に仮固着させた後に、弾性部材８を介して狭持板４にて押圧させ狭持させて本固定できるので、振動等の外力で位置ずれの生ずることが無い。
【００２３】
また、光源５が、図形化表示を有する表示シート３３と同表示シート３３前側の透明板にて形成された表示板３１の背面の適宜位置に仮固着された後に、透明板の背面に突設された固定片３２に固定される狭持板４にて押圧されて本固定されるので、図形化表示を表示板３１に容易に設けてその位置に対して光源５を固定することができ、使い勝手が良い。
【００２４】
【発明の効果】
本発明は、上述の実施態様の如く実施されて、請求項１記載の監視表示装置にあっては、簡単な構成にて、警戒監視区域に対応させて細かい位置調節を容易に行って光源を配置しレイアウト変更に対応させて表示部を形成することが出来る。
【００２５】
また、請求項２記載の監視表示装置にあっては、簡単な構成にて光源を仮固着させて再使用が図れ、また、誤って固着させても容易に修正可能で使い勝手が良い。
【００２６】
また、請求項３記載の監視表示装置にあっては、表示板の図形化表示の位置に対して光源を確実に固定することができ、しかも、振動等の外力で位置ずれの生ずることが無い。
【００２７】
また、請求項４記載の監視表示装置にあっては、図形化表示を表示板に容易に設けてその位置に対して光源を固定することができ、使い勝手が良い。
【図面の簡単な説明】
【図１】本発明の一実施の形態の監視表示装置に係る表示部の概略構成を示す側面図である。
【図２】同監視表示装置を示す正面図である。
【符号の説明】
１    監視表示装置
３    表示部
３１  表示板
３２  固定片
３３  表示シート
４    狭持板
５    光源
６    リード線
７    吸盤
８    弾性部材
【図１】
0003678099.tif 000002
【図２】
0003678099.tif 000003